(57)【要約】      （修正有）【課題】ケイ酸塩系以外の、施工品質管理が困難なコンクリート表面保護材についても適量のコンクリート表面保護材がコンクリート構造物の表面に施工されたことを目視にて容易、確実且つ客観的に確認することができる新規な手法を提供する。【解決手段】定性検出部（１）によって適正な薬剤が塗布されたことを確認し、確認部（２）又は浸潤調整部によって塗布量の管理を行なえるものとする、２元管理が可能なテスターを提供する。【選択図】図１
2012173283.tif 000002
【特許請求の範囲】
【請求項１】
コンクリート表面保護材がコンクリート構造物の表面に施工されたことを検出するためのテスターであって、コンクリート表面保護材に含まれる成分に定性的に反応して染料、又は顔料を溶出する定定性検出部を持ち、その定性検出部より溶出する染料又は顔料によって任意の色に着色された表面保護材が浸潤する事によって変色する確認部と、粘着部と、粘着部によりコンクリート構造物に貼り付けられたときに薬剤が直接、定性検出部に達して誤認識させてしまうことを防止するために定性検出部および確認部および後述の浸潤調整部と粘着層の間に設けられる遮断部とを有してなることを特徴とするコンクリート表面保護材施工確認用テスター。更に実施形態によっては上記の各部位に加え、一定時間内に定性反応部へ到達する薬剤の量を調整する浸潤調整部と、を有してなることを特徴とするコンクリート表面保護材施工確認用テスター。
【請求項２】
定性検出部は、基材に染料、又は顔料を含浸後乾燥させることにより形成され、コンクリート構造物に噴霧された表面保護材に含まれる成分が定性検出部の吸水性基材に浸透して定性検出部に含まれる染料、又は顔料を溶出させることにより、コンクリート表面保護材を着色することで適正なコンクリート薬剤が塗布されたことを確認することを特徴とする、コンクリート表面保護材施工確認用テスター。
【請求項３】
定性検出部に含まれる染料、又は顔料は油溶性の物質であり、コンクリート表面保護材に含まれる成分（アルコール等）によって容易に溶出し、コンクリート表面保護材に任意の着色を可能とすることを特徴とする、コンクリート改質材施工確認用テスター。
【請求項４】
確認部は、浸透性の基材を用い、定性検出部より溶出する油溶性染料、又は顔料が浸潤する事によって、その染料又は顔料の固有の色に変色する事を目視にて容易に確認できることが出来る形態とする。すなわち外部に露出している、あるいは、透明な保護層等によって覆われている確認部を有する事を特徴とする、コンクリート表面保護材施工確認用テスター。
【請求項５】
確認部は、その一端を定性検出部に接し、その接点より、定性検出により染料又は顔料を含んだコンクリート表面保護材が浸潤する構造を有する。又、一定時間に定性検出部より確認部に浸潤する、着色されたコンクリート表面保護材の量に比例して、確認部の変色域が変動することを利用し、その変動域を測定することによって、定性検出部に供給されたコンクリート表面保護材の量が算出しうるものとし、その測定を容易にするために目盛りが付された確認部を有する事を特徴とする、コンクリート表面保護材施工確認用テスター。
【請求項６】
浸潤調整部は、定性検出部が露出していない場合等にその一端を定性検出部に接し、他の端より、コンクリート表面保護材が浸潤する構造を有する。又、一定時間に定性検出部まで到達するコンクリート表面保護材の量は、構造物に塗布又は噴霧される薬剤の量に比例することを利用し、浸潤調整部の素材、形状等を変更する事で、薬剤が性能を発揮するのに必要とする塗布量を満たした後、一定時間内に定性検出部に到達するよう調整できる事を特徴とする、コンクリート表面保護材施工確認用テスター。
【請求項７】
浸透口は、浸潤調整部、又は定性検出部が外部に露出していない場合に、そこを介して浸潤調整部、又は定性検出部に薬剤を浸潤させるための透明カバー等に設けられる開口部であり、テスターの表面、側面、又場合によっては裏面に設けられる。又、浸透口の形状を変更する事で一定時間内に浸潤調整部、定性検出部、確認部へ到達する薬剤の量を調整できる事を特徴とする、コンクリート表面保護材施工確認用テスター。
【発明の詳細な説明】
【技術分野】
【０００１】    本発明は、コンクリートに塗布又は散布して用いられる薬剤全般の管理に関し、より具体的には、コンクリートに、適正な濃度の薬液が、適正な最低量以上が塗布、又は散布されたことを検出・確認するためのテスター及び該テスターを用いて薬剤の塗布又は散布を管理する方法に関する。
【背景技術】
【０００２】  コンクリート構造物の表面に塗布または噴霧することによりコンクリート内部に深く浸透し、あるいはコンクリートの表層付近で撥水等の効果を発揮し、コンクリートの劣化を抑制しコンクリートの耐久年数を延ばすタイプのコンクリート表面保護材、改質材、撥水材が近年着目され、需要が拡大している。しかし、透明性の高い薬剤を用いる同工法は、完成直後の外観に目立った違いを生じない事もあいまって、施工品質の管理が難しい工法とされていた。同様の工程で運用されるコンクリート表面保護材の内、ケイ酸塩系の材料については、信頼性の高い塗布量管理技術が確立されている。このような管理技術は下記特許文献に開示されている。
【先行技術文献】
【特許文献】
【０００３】
【特許文献１】特開２００７−１７８２１０号公報
【発明の概要】
【発明が解決しようとする課題】
【０００４】  しかしながら、以上の技術では、ケイ酸塩系以外の材料については対応する事ができず、現場の条件が多様化するにつれて、適切な材料も多岐に渡ることとなっている現在の状況では、信頼性の高い施工管理には、多数の労力と時間とを必要とし、又、ケイ酸塩系材料で確立された事後検査の対応等も、困難であった。
そこで、この発明は、ケイ酸塩系以外の、施工品質管理が困難なコンクリート表面保護材についても適量のコンクリート表面保護材がコンクリート構造物の表面に施工されたことを目視にて容易、確実且つ客観的に確認することができる新規な手法を提供することにある。
【課題を解決するための手段】
【０００６】  かかる課題を解決するため、請求項１に係る本発明は、コンクリート表面保護材がコンクリート構造物の表面に施工されたことを検出するためのテスターであって、染料又は顔料を含む定性検出部と、コンクリート表面保護材に含まれる成分が、定性検出部に含まれる染料又は顔料を溶出させることで、その定性検出部より溶出する染料又は顔料により任意の色に着色された表面保護材が浸潤する事で変色する確認部と、それらを保護する透明カバーおよびカバーに設けられる浸透口、コンクリート構造物に貼り付けるための粘着部と、粘着部によりコンクリート構造物に貼り付けられたときに薬剤が直接、定性検出部に達して誤認識させてしまうことを防止するために定性検出部および確認部および後述の浸潤調整部と粘着層の間に設けられる遮断部とを有してなることを特徴とするコンクリート表面保護材施工確認用テスター。更に実施形態によっては上記の各部位に加え、一定時間内に定性反応部へ到達する薬剤の量を調整する浸潤調整部と、それらを保護する透明カバーおよびカバーに設けられる浸透口を有してなることを特徴とするコンクリート表面保護材施工確認用テスターである。【０００７】請求項２にかかる本発明は、請求項１記載のコンクリート表面保護材施工確認用テスターにおいて定性検出部は、基材に染料、又は顔料を含浸後乾燥させることにより形成され、コンクリート構造物に噴霧された表面保護材に含まれる成分が定性検出部の吸水性基材に浸透して定性検出部に含まれる染料、又は顔料を溶出させることにより、コンクリート表面保護材を着色することで適正なコンクリート薬剤が塗布されたことを確認することを特徴とする。【０００８】請求項３にかかる本発明は、請求項１記載のコンクリート表面保護材施工確認用テスターにおいて定性検出部に含まれる染料、又は顔料は油溶性であって、任意の色で構成される。【０００９】請求項４にかかる本発明は、請求項１記載のコンクリート表面保護材施工確認用テスターにおいて確認部は浸透性基材によって構成され、着色された薬剤の浸潤状況が容易に目視確認可能なように外部に露出した、又は透明な覆いを持つ形状であることを特徴とする。【００１０】請求項５にかかる本発明は、請求項４記載のコンクリート表面保護材施工確認用テスターにおいて確認部はその一端を定性検出部に接し、定性検出により着色されたコンクリート表面保護材が浸潤する事で外部から容易に目視確認する事が可能である。又、一定時間に浸潤する薬液の量は一定であるため、塗布量を確認するための目盛りを持つ事も出来る。【００１１】請求項６にかかる本発明は、請求項４記載のコンクリート表面保護材施工確認用テスターにおいて浸潤調整部はその一端を定性検出部に接し、別の端より、コンクリート表面保護材が浸潤する構造を有する。又、一定時間に定性検出部まで到達するコンクリート表面保護材の量は、構造物に塗布又は噴霧される薬剤の量に比例することを利用し、浸潤調整部の素材、形状等を変更する事で、薬剤が性能を発揮するのに必要とする塗布量を満たした後、一定時間内に定性検出部に到達するよう調整でき、又、塗布量の目安となるよう浸潤調整部全体に目盛りを有する事を特徴とする。
【発明の効果】
【００１２】  本発明のコンクリート表面保護材施工確認用テスターによれば、コンクリート構造物の表面に適量のコンクリート改質材が噴霧・施工されたことを目視にて容易、確実且つ客観的に確認することができる。
又、施工に用いられたテスターを保存する事で、施工の記録として運用する事を可能とする。
【図面の簡単な説明】
【００１３】
【図１】この発明の実施形態１を示す斜視図である。
【図２】この発明の実施形態２を示す斜視図である。
【発明を実施するための形態】
【００１４】  この発明の実施形態１を、図１に示す。
定性検出部１は浸透性基材に染料又は顔料を含浸させることで構成され、確認部２に接する。確認部２は浸透性基材に塗布量確認用の目盛りを付し、表面に保護用の透明カバー３を有する。遮断部４はプラスチック等、一般的な液状の物質を浸透しない素材によって構成され、テスター裏面からの薬剤等の浸透を遮断する。粘着部４はテスターを構造物に貼り付けるために用いられる。
【００１５】  この発明の実施形態２を、図２に示す。
浸潤調整部１は浸透性基材で構成され、浸透口２を外部に露出し、それ以外の全体を透明カバー３によって覆われ、全体に薬剤の塗布量の目安となる様な目盛りを有する。定性検出部４は浸透性基材に染料又は顔料を含浸させることで構成され、浸潤調整部１を介して到達した薬剤の成分によってその染料又は顔料を溶出させる。確認部５は浸透性基材で構成され、定性検出部４より溶出する染料又は顔料を含む薬剤によって着色される事で、薬剤の定性検出の結果を確認できる。遮断部６はプラスチック等、一般的な液状の物質を浸透しない素材によって構成され、テスター裏面からの薬剤等の浸透を遮断する。粘着部７はテスターを構造物に貼り付けるために用いられる。
「実施形態１の効果」
この実施形態によれば、定性検出部１より染料又は顔料が溶出する事により定性検出部１に塗布された薬液の定性が特定される。又、確認部２に浸潤する着色された薬剤の量を目盛りによって確認する事が出来る。遮断部４によって裏面より薬剤が浸潤する事を防ぎ、粘着部５によって構造物に貼り付けて用いる。
「実施形態２の効果」
この実施形態によれば、浸透口２に塗布された液状の薬剤の量が浸潤調整部１に付された目盛りにて確認できる。必要量が塗布された際に定性検出部４に液状の薬剤が到達することにより、薬剤の定性によって定性検出部４に含まれる染料又は顔料が溶出する事により確認部５が着色される事が確認出来る。遮断部６によって裏面より薬剤が浸潤する事を防ぎ、粘着部７によって構造物に貼り付けて用いる。
【産業上の利用可能性】
【０００＊】
【符号の説明】
【００１６】［図１］
１  浸透口
２  定性検出部
３  確認部
４  透明カバー
５  遮断部
６  粘着部【００１７】［図２］
１  浸潤調整部
２  浸透口
３  透明カバー
４  定性検出部
５  確認部
６  遮断部
７  粘着部
【受託番号】
【図１】
2012173283.tif 000003
【図２】
2012173283.tif 000004